(57)【要約】【課題】  機械式回転命令装置の提供。【解決手段】  本発明の回転命令装置は、回転体の回転面上に円周を等分する凸部が設けられ、且つ隣り合う凸部の間が凹部で区画され、並びに基板に電気的に接続された導電ピンセットが該凸部と該凹部に位置する順方向導電ピン、逆方向導電ピン、及び共同導電ピンを具え、回転体が力を受けて回転する時、凸部が駆動され順方向導電ピン、逆方向導電ピン及び共同導電ピンを駆動して接触させて、順方向回転命令、逆方向回転命令を出力させ、これによりラスタスイッチより低い製造コストと取付空間の節約の目的を達成する。【選択図】        図４
2006107026.tif 000002
【特許請求の範囲】
【請求項１】
機械式回転命令装置において、該機械式回転命令装置は、回転体（４）と基板（５）を具え、
該回転体（４）は、該回転体（４）の回転面（４１）上に円周を等分する凸部（４１２）を具え、且つ各隣り合う凸部（４１２）の間に凹部（４１３）が形成され、
該基板（５）は、回転体（４）の回転に対応して命令信号を発生し、該基板（５）は電気的に導電ピンセット（６）に接続され、且つ該導電ピンセット（６）は順方向導電ピン（６１）と逆方向導電ピン（６２）と、該順方向導電ピン（６１）と該逆方向導電ピン（６２）の間に位置する共同導電ピン（６３）を具え、回転体（４）が力を受けて時計回りに回転する時、共同導電ピン（６３）と順方向導電ピン（６１）が接触し順方向回転命令を出力し、反対に回転体（４）が逆時計回りに回転すると共同導電ピン（６３）と逆方向導電ピン（６２）が接触し逆方向回転命令を出力することを特徴とする、機械式回転命令装置。
【請求項２】
請求項１記載の機械式回転命令装置において、回転体（４）が施力面（４４）及び該施力面（４４）の二側に位置する側面（４４１）を具え、回転面（４１）が回転体（４）の側面（４４１）位置或いは施力面（４４）位置を指すことを特徴とする、機械式回転命令装置。
【請求項３】
請求項１記載の機械式回転命令装置において、順方向導電ピン（６１）及び逆方向導電ピン（６２）が凸部（４１２）に位置し、共同導電ピン（６３）が凹部（４１３）に位置することを特徴とする、機械式回転命令装置。
【請求項４】
請求項１記載の機械式回転命令装置において、共同導電ピン（６３ａ）が凸部（４１２）に位置し、順方向導電ピン（６１ａ）及び逆方向導電ピン（６２ａ）が凸部（４１２）に隣接する上下の凹部（４１３）に位置することを特徴とする、機械式回転命令装置。
【発明の詳細な説明】
【技術分野】
【０００１】
本発明は一種の機械式回転命令装置に係り、特に、マウス、リモコン、或いはキーボード等の電子製品のローラに運用されて異なる命令信号を出力するのに用いられる機械式回転命令装置に関する。
【背景技術】
【０００２】
現在あるマウス、リモコン或いはキーボード等の電子製品には、使用者が文献の閲覧、ネットワークサーチ及び画像拡大縮小等の機能の操作を行なうのに便利とするため、左右のボタンのほか、左右のボタンの間にローラが取り付けられ、このローラが回転過程に信号を出力する方式は以下のとおりである。
【０００３】
現在のほとんどのマウスの回転軸設計は図１のようであり、固定座１０でローラ２０が支持され、並びに回転軸１１の下方に感応式光電検出スイッチ１２が設けられ、ローラ２０の側面の回転面２２に、円周を等分に分割する穿孔２１が形成され、（或いは図２のように、回転軸１１が延伸されてラスタスイッチ１５に接続されている）、ローラ２０が回転する時、ローラ２０側面の穿孔２１が感応式光電検出スイッチ１２をオフ或いはオンすることで、異なる命令信号を出力する。ただし、ローラ２０は回転時に命令信号を出力するほか、ローラ２０下方にプッシュスイッチ１３が設けられ、使用者がローラ２０を下に押してスイッチ１３を押すと、ソフトウエアに設定された機能ウインドウが表れてその他の命令を行なうことができる。しかし、回転軸１１とラスタスイッチ１５は固定状態とされるため、ローラ２０が下に押圧される行程はラスタスイッチ１５を考慮して設計される必要があり、このためローラ２０の設計の困難度が増す。このほか、ラスタスイッチ１５或いは感応式光電検出スイッチ１２の製作コストは高く、且つ更に小型のマウスに運用される時は、ラスタスイッチ１５或いは感応式光電検出スイッチ１２の設計は更に複雑となる。
【０００４】
このほか、ローラ２０回転時には使用者に回転感覚を与えるために、図１に示されるように、回転軸１１の一端に円周を等分して歯状とした回転端１１１が設けられ、該回転端１１１の位置に弾性片１４が設けられ、該弾性片１４が回転端１１１の回転を受けて弾跳することにより使用者に回転感覚を与える。しかし、この設計はコストを増すほか、空間設計の困難を増し、且つ回転端１１１とローラ２０位置に一定の距離があるため、実際に使用者の手部に伝わる回転感覚は良好ではない。
【０００５】
電子製品の軽量化、薄型化、コンパクト化の傾向に応じて、特許文献１にはマウス３Ｄ軸入力器が示され、それは固定メインシート、固定サブシート、ゴムタイヤ、ラスタホイール、ホルダ及び慣性輪を具え、内蔵ラスタスイッチの設計が採用され、ラスタスイッチが直接ローラの間に設けられることで伝統的な取付空間を節約している。しかし、このようなローラ設計はラスタスイッチの設計コストの問題を解決せず、小型マウスに応用すると、ローラ設計は相当に小型化されるため、このような設計はラスタスイッチの製造の困難を更に増すことになる。
【０００６】
【特許文献１】台湾特許公告第３６５４１９号（米国特許６１８８３８９号）明細書
【発明の開示】
【発明が解決しようとする課題】
【０００７】
本発明の主要な目的は、上述の従来の技術の欠点を解決し、欠点の存在を無くすことにある。即ち、本発明は伝統的なラスタスイッチ或いは感応式光電検出スイッチの製造コストが高く小型化製造が難しいという欠点を解決し、単純な機械式導電端子セットの相互接触、導通により命令信号を出力する方式で、低コストで組立が容易で技術が簡易な設計の長所を達成する。本発明の回転命令装置は、回転体の回転面上に円周を等分する凸部が設けられ、且つ隣り合う凸部の間が凹部で区画され、並びに基板に電気的に接続された導電ピンセットが該凸部と該凹部に位置する順方向導電ピン、逆方向導電ピン、及び共同導電ピンを具え、回転体が力を受けて回転する時、凸部が駆動され順方向導電ピン、逆方向導電ピン及び共同導電ピンを駆動して接触させて、順方向回転命令、逆方向回転命令を出力させ、これによりラスタスイッチより低い製造コストと取付空間の節約の目的を達成するものとされる。
【課題を解決するための手段】
【０００８】
請求項１の発明は、機械式回転命令装置において、該機械式回転命令装置は、回転体（４）と基板（５）を具え、
該回転体（４）は、該回転体（４）の回転面（４１）上に円周を等分する凸部（４１２）を具え、且つ各隣り合う凸部（４１２）の間に凹部（４１３）が形成され、
該基板（５）は、回転体（４）の回転に対応して命令信号を発生し、該基板（５）は電気的に導電ピンセット（６）に接続され、且つ該導電ピンセット（６）は順方向導電ピン（６１）と逆方向導電ピン（６２）と、該順方向導電ピン（６１）と該逆方向導電ピン（６２）の間に位置する共同導電ピン（６３）を具え、回転体（４）が力を受けて時計回りに回転する時、共同導電ピン（６３）と順方向導電ピン（６１）が接触し順方向回転命令を出力し、反対に回転体（４）が逆時計回りに回転すると共同導電ピン（６３）と逆方向導電ピン（６２）が接触し逆方向回転命令を出力することを特徴とする、機械式回転命令装置としている。
請求項２の発明は、請求項１記載の機械式回転命令装置において、回転体（４）が施力面（４４）及び該施力面（４４）の二側に位置する側面（４４１）を具え、回転面（４１）が回転体（４）の側面（４４１）位置或いは施力面（４４）位置を指すことを特徴とする、機械式回転命令装置としている。
請求項３の発明は、請求項１記載の機械式回転命令装置において、順方向導電ピン（６１）及び逆方向導電ピン（６２）が凸部（４１２）に位置し、共同導電ピン（６３）が凹部（４１３）に位置することを特徴とする、機械式回転命令装置としている。
請求項４の発明は、請求項１記載の機械式回転命令装置において、共同導電ピン（６３ａ）が凸部（４１２）に位置し、順方向導電ピン（６１ａ）及び逆方向導電ピン（６２ａ）が凸部（４１２）に隣接する上下の凹部（４１３）に位置することを特徴とする、機械式回転命令装置としている。
【発明の効果】
【０００９】
本発明は伝統的なラスタスイッチ或いは感応式光電検出スイッチの製造コストが高く小型化製造が難しいという欠点を解決し、単純な機械式導電端子セットの相互接触、導通により命令信号を出力する方式で、低コストで組立が容易で技術が簡易な設計の長所を達成している。
【発明を実施するための最良の形態】
【００１０】
図３及び図４の本発明の外観立体図及び構造分解図に示されるように、本発明の機械式回転命令装置は、マウス１（図１５参照）、キーボード２（図１６参照）或いはリモコン３（図１７参照）等の電子製品に運用されて異なる命令信号を出力する。該機械式回転命令装置は回転体４と回転体４の回転に対応し命令信号を発生する基板５を具えている。
【００１１】
図５及び図６に示されるように、上述の回転体４は回転面４１に円周を等分する凸部４１２を具え、且つ各隣り合う凸部４１２の間が凹部４１３で区画され、回転面４１の円周に凸部４１２、凹部４１３、凸部４１２、凹部４１３が平均して配列された状態が形成され、各凸部４１２と凹部４１３の間に傾斜案内面４３（図７）が形成されるか、或いは図１０のように、凸部４１２と凹部４１３の間に円弧案内面４２が形成される。そのうち、回転体４は使用者が接触し施力する施力面４４及び施力面４４の両側に位置する側面４４１を具えている。図３に示される回転体４の回転面４１は側面４４１位置とされるが、図９に示される回転体４の回転面４１は施力面４４位置とされるが、その作動方式は同じであるため、以下に回転面４１が側面４４１位置とされた実施例を以て説明を行なう。
【００１２】
上述の基板５は電気的に導電ピンセット６に接続され、且つ該導電ピンセット６は該凸部４１２に位置する順方向導電ピン６１と逆方向導電ピン６２、及び、該凹部４１３に位置し並びに順方向導電ピン６１と逆方向導電ピン６２の間に位置する共同導電ピン６３を具えている。並びに基板５に更に支持体５１が設置されて導電ピンセット６を位置決めし、基板５に更にピンホルダ８が設けられて、回転体４の中心位置を挿通して回転体４の軸とされる。（基板５はまた単純な受板形式とされ得て、基板５下方に命令信号電子回路を具えた回路板が配置され得る。）
【００１３】
図７、８、９に示されるように、使用者が回転体４の施力面４４に施力する時、回転体４が力を受けて順時計回りに回転すると、共同導電ピン６３が凸部４１２の傾斜案内面４３の押動を受けて順方向導電ピン６１に接触し導通して順方向回転命令を出力し、上凸部４１２の頂点が順方向導電ピン６１を通過すると、共同導電ピン６３が傾斜案内面４３より受ける押圧力が無くなり、この時、共同導電ピン６３は順方向導電ピン６１との導通状態より離脱して上凹部４１３の低点位置に至る。逆に、回転体４が力を受けて逆時計方向に回転する時、共同導電ピン６３は下凸部４１２の傾斜案内面４３の押動を受けて逆方向導電ピン６２に接触し導通して逆方向回転命令を出力し、下凸部４１２の頂点が逆方向導電ピン６２を通過すると、共同導電ピン６３が傾斜案内面４３より受ける押圧力が無くなり、この時、共同導電ピン６３は逆方向導電ピン６２との導通状態より離脱して下凹部４１３の低点位置に至る。
【００１４】
前述の順方向回転命令及び逆方向回転命令は、現在のコンピュータソフトウエア環境での命令定義は、前向き或いは後ろ向きのスクロール機能とされるが、但しこれは使用者が自分で定義できるソフトウエア環境であり、本発明の請求の特徴ではないため、詳しくは説明しない。
【００１５】
共同導電ピン６３が傾斜案内面４３の押圧を受ける時、命令信号のほか、共同導電ピン６３が凸部４１２と凹部４１３の交錯位置変換の時に、使用者に良好な回転感覚を与え、使用者が明確にその回転程度及び位置を感じることができる。
【００１６】
図１１、１２、１３に示される実施例の、前述の実施例と異なるところは、共同導電ピン６３ａ、順方向導電ピン６１ａ及び逆方向導電ピン６２ａの放置位置の違いであり、本実施例の導電ピンセットは、凸部４１２に位置する共同導電ピン６３ａ、及び凸部４１２に隣接する上、下凹部４１３に位置する順方向導電ピン６１ａ及び逆方向導電ピン６２ａを具え、前述の操作方式と同様に、回転体４が力を受けて順時計回りに回転すると、順方向導電ピン６１ａが上凸部４１２の傾斜案内面４３の押圧を受けて共同導電ピン６３ａに接触し、導通して順方向回転命令を出力し、逆に回転体４が力を受けて逆時計回りに回転する時、逆方向導電ピン６２ａが下凸部４１２の傾斜案内面４３の押圧を受けて共同導電ピン６３ａに接触して導通し逆方向回転命令を出力する。
【００１７】
以上は本発明の好ましい実施例の説明であって、本発明の範囲を限定するものではなく、本発明に基づきなしうる細部の修飾或いは改変は、いずれも本発明の請求範囲に属するものとする。
【図面の簡単な説明】
【００１８】
【図１】周知の技術の外観立体図である。
【図２】別の周知の技術の外観立体図である。
【図３】本発明の外観立体図である。
【図４】本発明の構造分解図である。
【図５】本発明の正面図である。
【図６】本発明の側面図である。
【図７】本発明の動作表示図である。
【図８】本発明の動作表示図である。
【図９】本発明の動作表示図である。
【図１０】本発明の凸部と凹部の間が円弧案内面を呈する表示図である。
【図１１】本発明のもう一つの実施方式の動作表示図である。
【図１２】本発明のもう一つの実施方式の動作表示図である。
【図１３】本発明のもう一つの実施方式の動作表示図である。
【図１４】本発明の別の実施態様表示図である。
【図１５】本発明をマウスに応用した実施例表示図である。
【図１６】本発明をキーボードに応用した実施例表示図である。
【図１７】本発明をリモコンに応用した実施例表示図である。
【符号の説明】
【００１９】
１０  固定座
１１  回転軸
１１１  回転端
１２  感応式光電検出スイッチ
１３  プッシュスイッチ
１４  弾性片
１５  ラスタスイッチ
２０  ローラ
２１  穿孔
２２  回転面
１  マウス
２  キーボード
３  リモコン
４  回転体
４１  回転面
４１２  凸部
４１３  凹部
４２  円弧案内面
４３  傾斜案内面
４４  施力面
４４１  側面
５  基板
５１  支持体
６  導電ピンセット
６１、６１ａ  順方向導電ピン
６２、６２ａ  逆方向導電ピン
６３、６３ａ  共同導電ピン
８  ピンホルダ
【図１】
2006107026.tif 000003
【図２】
2006107026.tif 000004
【図３】
2006107026.tif 000005
【図４】
2006107026.tif 000006
【図５】
2006107026.tif 000007
【図６】
2006107026.tif 000008
【図７】
2006107026.tif 000009
【図８】
2006107026.tif 000010
【図９】
2006107026.tif 000011
【図１０】
2006107026.tif 000012
【図１１】
2006107026.tif 000013
【図１２】
2006107026.tif 000014
【図１３】
2006107026.tif 000015
【図１４】
2006107026.tif 000016
【図１５】
2006107026.tif 000017
【図１６】
2006107026.tif 000018
【図１７】
2006107026.tif 000019